(57)【特許請求の範囲】
【請求項１】
複数の地区の選果場に各々設置された地区別コンピュータと、該地区別コンピュータと通信網を介して接続している本所コンピュータとからなり、
該本所コンピュータは、各選果場の地区別コンピュータからリアルタイムで送られる、各日毎に選果された青果物に関する外部品質及び内部品質に従って選別された選果情報を記憶する記憶部と、通信網を介して生産者に青果物の翌日の集荷予定に関する問い合わせを行った後に、生産者から送られる青果物の翌日の集荷予定に関する集荷通知情報を受け、且つ演算処理部によって生成された翌日の集荷依頼に関する集荷依頼情報を生産者に発信するネットサーバと、前記記憶部に記憶されたリアルタイムの選果情報と前記生産者から送られる集荷通知情報を集約した情報とに基づいて、生産者が集荷する選果場を自動選定して前記翌日の集荷依頼情報を生成する前記演算処理部とを備えることを特徴とする選果場運営システム。
【請求項２】
前記本所コンピュータは、各選果場の地区別コンピュータから送られる選果情報を集約し、前記記憶部に記憶されている出荷先との契約及び該出荷先からの注文に基づいて青果物の割付を行って出荷指示情報を作成する機能を備え、前記ネットサーバは、各選果場から出荷先に青果物を運搬する運送会社に、前記出荷指示情報を発信することを特徴とする請求項１記載の選果場運営システム。
【請求項３】
前記地区別コンピュータは、各選果場のストレージヤードにおける製品箱のストック状況を前記本所コンピュータに前記選果情報として送り、前記本所コンピュータは、各選果場の製品箱のストック状況を集約管理することを特徴とする請求項１又は２に記載の選果場運営システム。
【請求項４】
複数の地区の選果場に各々設置された前記地区別コンピュータのうちの一つが前記本所コンピュータを兼ねていることを特徴とする請求項１〜３のいずれか１項に記載の選果場運営システム。
【請求項５】
前記本所コンピュータは、各選果場の地区別コンピュータから送られる選果情報を前記ネットサーバを介して生産者に発信すると共に前記記憶部に記憶し、前記生産者は前記ネットサーバを介して前記記憶部にアクセスして選果情報を取り出し可能である請求項１〜４のいずれか１項に記載の選果場運営システム。
【発明の詳細な説明】
【０００１】
【発明の属する技術分野】
本発明は、複数の地区の選果場に各々設置された地区別コンピュータと、該地区別コンピュータと通信網を介して接続している本所コンピュータとからなる選果場運営システムに関する。
【０００２】
【従来の技術及び発明が解決しようとする課題】
選果場は、生産者から集荷した青果物を、大きさ、外見等の外部品質及び糖度、熟度等の内部品質に従う等階級に選別する場所であり、例えば農業協同組合等において地区分けされた各地区毎に設置されており、当該地区において生産された各種の青果物を選別して出荷している。
【０００３】
一方、各地区毎に設けられた選果場において種々雑多な青果物の選別を各々行うことは効率的でないことから、各地区で運営していた選果場を統合した大規模な統合選果場を設け、ここで選果を行うことにより、青果物の集出荷の集約化等を図るようにすることが望まれている。
【０００４】
しかしながら、統合選果場を新たに設ける場合、大規模な建屋の建設が必要になって膨大なコストがかかると共に、統合選果場から遠くなる生産者は反対する者も多く、意見の集約が困難になる。また、出荷のピーク時に合わせた規模の設計をする必要がある一方で、ピーク時以外の時間帯では統合選果場の稼働率が下がり、多くの無駄を生じると共に、固定経費がかさむことになる。
【０００５】
従って、本発明の目的は、各地区毎に設けられた選果場を、大規模な建屋を新たに建設することなく統合して、青果物の集出荷の集約化等を容易かつ効率良く図ることのできる選果場運営システムを提供することにある。
【０００６】
【課題を解決するための手段】
本発明は、複数の地区の選果場に各々設置された地区別コンピュータと、該地区別コンピュータと通信網を介して接続している本所コンピュータとからなり、
該本所コンピュータは、各選果場の地区別コンピュータからリアルタイムで送られる、各日毎に選果された青果物に関する大きさ、外見等の外部品質及び糖度、熟度等の内部品質に従って選別された等階級分布、製品出来高等の選果情報を記憶する記憶部と、通信網を介して生産者に青果物の品種、量、集荷時刻等の翌日の集荷予定に関する問い合わせを行った後に、生産者から送られる青果物の品種、量、集荷時刻等の翌日の集荷予定に関する集荷通知情報を受け、且つ演算処理部によって生成された、生産者に対して選定した選果場名、青果物の品種、量、集荷時刻等の翌日の集荷依頼に関する集荷依頼情報を生産者に発信するネットサーバと、前記記憶部に記憶されたリアルタイムの選果情報と前記生産者から送られる集荷通知情報を集約した情報とに基づいて、生産者が集荷する選果場を自動選定して前記翌日の集荷依頼情報を生成する前記演算処理部とを備えることを特徴とする選果場運営システムを提供することにより、上記目的を達成したものである。
【０００７】
また、本発明の選果場運営システムによれば、前記本所コンピュータは、各選果場の地区別コンピュータから送られる製品出来高等の選果情報を集約し、前記記憶部に記憶されている青果市場等の出荷先との契約及び該出荷先からの注文に基づいて青果物の割付を行って、出荷製品の集荷場所である選果場、出荷する青果物の品種、量、出荷時刻等の出荷指示情報を作成する機能を備え、前記ネットサーバは、各選果場から出荷先に青果物を運搬する運送会社に、前記出荷指示情報を発信することが好ましい。
【０００８】
さらに、本発明の選果場運営システムによれば、前記地区別コンピュータは、各選果場のストレージヤードにおける製品箱のストック状況を前記本所コンピュータに前記選果情報として送り、前記本所コンピュータは、各選果場の製品箱のストック状況を集約管理することが好ましい。
【０００９】
さらにまた、本発明の選果場運営システムによれば、複数の地区の選果場に各々設置された前記地区別コンピュータのうちの一つが前記本所コンピュータを兼ねていても良い。
【００１０】
また、本発明の選果場運営システムによれば、前記本所コンピュータは、各選果場の地区別コンピュータから送られる選果情報を前記ネットサーバを介して生産者に発信すると共に前記記憶部に記憶し、前記生産者は前記ネットサーバを介して前記記憶部にアクセスして選果情報を取り出し可能であることが好ましい。
【００１１】
なお、本発明の選果場運営システムにより選果される青果物には、果実及び野菜が含まれる。
【００１２】
【発明の実施の形態】
以下、本発明の好ましい実施形態を添付図面を参照しつつ詳細に説明する。本実施形態の選果場運営システムは、図１に示すように、各地区Ａ，Ｂ，Ｃに設けられた選果場を残したまま、統合選果場を新たに建設することなく、各地区Ａ，Ｂ，Ｃの選果場と通信網を介して接続した通信ネットワーク上のバーチャル統合選果場を設けて青果物の集出荷の集約化等を図るようにしたものである。
【００１３】
すなわち、本実施形態の選果場運営システムは、図２及び図３に示すように、複数の地区Ａ，Ｂ，Ｃの選果場（Ａ地区選果場，Ｂ地区選果場，Ｃ地区選果場）に各々設置された地区別コンピュータ１１Ａ，１１Ｂ，１１Ｃと、これらの地区別コンピュータ１１Ａ，１１Ｂ，１１Ｃと通信網を介して接続しているバーチャル統合選果場として設置された本所コンピュータ１０とからなる。そして、本所コンピュータ１０は、各選果場の地区別コンピュータ１１Ａ，１１Ｂ，１１Ｃからリアルタイムで送られる、青果物に関する大きさ、外見等の外部品質及び糖度、熟度等の内部品質に従って選別された等階級分布、製品出来高等の選果情報を記憶する記憶部１２と、通信網を介して生産者に青果物の品種、量、集荷時刻等の集荷問い合せを行った後に、生産者から送られる青果物の品種、量、集荷時刻等の集荷通知情報を受け、且つ生産者に対して選定した選果場 名、青果物の品種、量、集荷時刻等の集荷依頼情報を生産者に発信するネットサーバ１３と、記憶部１２に記憶されたリアルタイムの選果情報と生産者から送られる集荷通知情報とに基づいて、集荷する選果場を選定して集荷依頼情報を生成する演算処理部１４とを備える。
【００１４】
本実施形態によれば、バーチャル統合選果場として設置された本所コンピュータ１０は、例えば農業協同組合等の本社や支社等に設けられ、電話回線や光ファイバー等の通信網を介して各選果場の地区別コンピュータ１１Ａ，１１Ｂ，１１Ｃと接続し、これらの地区別コンピュータ１１Ａ，１１Ｂ，１１Ｃとの間でリアルタイムで情報の交換を行いつつ、各地区の選果場Ａ，Ｂ，Ｃを統合管理する。
【００１５】
また、本所コンピュータ１０は、制御用ＣＰＵ、メモリー、ハードディスク、出力装置、入力装置等からなり、読み込まれた各種のプログラムによって、各選果場の地区別コンピュータ１１Ａ，１１Ｂ，１１Ｃからリアルタイムで送られる選果情報やその他の情報を記憶する記憶部１２としての機能や、集荷問合せ情報を発信すると共に集荷通知情報を受け、且つ集荷依頼情報を発信するネットサーバ１３としての機能、集荷依頼情報を生成する演算処理部１４としての機能等を備えている。
【００１６】
さらに、本実施形態によれば、本所コンピュータ１０は、各選果場Ａ，Ｂ，Ｃの地区別コンピュータ１１Ａ，１１Ｂ，１１Ｃから送られる製品出来高等の選果情報を集約し、記憶部１２に記憶されている青果市場等の出荷先との契約及び該出荷先からのＦＡＸやＴＥＬ等による注文に基づいて青果物の割付を行って、出荷製品の集荷場所、出荷する青果物の品種、量、出荷時刻等の出荷指示情報を作成する機能を備え、ネットサーバ１３は、この出荷指示情報を、記憶部１２に予め登録された、各選果場から出荷先に青果物を運搬する運送会社に、ＦＡＸ、ＴＥＬ、Ｎｅｔ等を介して発信する。
【００１７】
さらにまた、本実施形態によれば、地区別コンピュータ１１Ａ，１１Ｂ，１１Ｃは、各選果場Ａ，Ｂ，Ｃのストレージヤード１５Ａ，１５Ｂ，１５Ｃにおける製品箱のストック状況を本所コンピュータ１０に選果情報の一部として送り、本所コンピュータ１０は、仮想の統合ストレージヤードとして各選果場Ａ，Ｂ，Ｃの製品箱のストック状況を集約管理する。
【００１８】
また、本実施形態によれば、本所コンピュータ１０は、各選果場Ａ，Ｂ，Ｃの地区別コンピュータ１１Ａ，１１Ｂ，１１Ｃから送られる選果情報をネットサーバ１３を介して生産者に発信すると共に記憶部１４に記憶し、また生産者は前記ネットサーバ１３を介して記憶部１４にアクセスして選果情報を取り出すことができるようになっている。
【００１９】
一方、各地区の選果場Ａ，Ｂ，Ｃに各々設置された地区別コンピュータ１１Ａ，１１Ｂ，１１Ｃは、制御用ＣＰＵ、メモリー、ハードディスク、出力装置、入力装置等からなり、ＬＡＮを介してＣＰＵを備える複数の選別測定装置と接続している。選別測定装置は、例えば重量センサによる重量の測定や、カメラによる果径や面積に関する画像判定によって階級判定を行うと共に、カラーカメラによる色やキズ等の外部品質に関する画像判定や内部品質測定センサによる糖度、酸度、熟度等の内部品質に関する判定によって等級判定を行う。選別測定装置のＣＰＵは、選別測定装置から得られた選別情報に基づき、コンベアに対して所定の排果口への排果指令を出す。所定の排果口から階級及び等級毎に排果された青果物は、製品箱に箱詰めされ、バーコード等により識別されて、ＣＰＵにより管理されるストレージヤード１５Ａ，１５Ｂ，１５Ｃに階級、等級毎にストックされる。そして、各地区別コンピュータ１１Ａ，１１Ｂ，１１Ｃの制御用ＣＰＵは、各選別測定装置の監視、データ収集等を行い、生産者別の選果結果表の作成、あるいは品種／等階級別の製品出来高データの集約、ストレージヤード１５Ａ，１５Ｂ，１５Ｃへの入出庫データの集約等を行う。
【００２０】
そして、本実施形態の選果場運営システムによれば、以下のようにして、各地区の選果場における青果物の集出荷を統合管理する。すなわち、地区別コンピュータ１１Ａ，１１Ｂ，１１Ｃによって管理された、各選果場Ａ，Ｂ，Ｃにおける各日毎に選果された青果物に関する、大きさ、外見等の外部品質及び糖度、熟度等の内部品質に従って選別された等階級分布、製品出来高等の選果情報が各々通信網を介して本所コンピュータ１０の制御用ＣＰＵに送られ、記憶部１２に記憶される。一方、生産者に対して、ネットサーバ１３から青果物の品種、量、集荷時刻等の翌日の集荷予定に関する問い合わせが行われ、生産者は、この翌日の集荷予定に関する問い合わせを受けた後に、青果物の品種、量、集荷時刻等の集荷通知情報を翌日集荷通知として本所コンピュータ１０のネットサーバ１３に送信する。演算処理部１４では、記憶部１２に記憶されたリアルタイムの選果情報と生産者から送られる集荷通知情報とに基づいて、生産者が集荷する選果場を自動選定して、選定した選果場名、青果物の品種、量、集荷時刻等の集荷依頼情報を生成する。そして、ネットサーバ１３は、生成した集荷依頼情報を翌日集荷依頼として集荷伝票等と共に生産者に送信する。
【００２１】
ここで、演算処理部１４において行われる、記憶部１２に記憶されたリアルタイムの選果情報と生産者から送られる集荷通知情報とに基づく集荷依頼情報の作成は、より具体的には、以下のような工程に従って行われる。すなわち、翌日の集荷計画を策定するために、まず本所コンピュータ１０から通信網を介して各生産者へ翌日の集荷予定（品種、数量、時刻等）を問合わせる。また、本所コンピュータ１０は、各生産者からの翌日集荷予定通知を受けて、集荷予定を集約し、出荷先である青果市場との契約や青果市場からの注文に応じて、各生産者へ集荷すべき選果場、品種、数量、集荷時刻等を指定した翌日集荷依頼を行う。ここで、記憶部１２に蓄積された過去の選果結果表に基づく生産者毎の出来高データベースによって、翌日の等階級別の青果物の出来高予測が支援されることになる。
【００２２】
また、本所コンピュータ１０は、出荷当日における出荷の変更も行うことができる。すなわち、本所コンピュータ１０は当日の市場からの新たな注文の発生、生産者の出荷中止や変更、等階級別予想出来高との著しい乖離等の新たな情報を集約し、解析することよって、市場への出荷キャンセルや生産者への追加の集荷の要請等を行う。
【００２３】
また、本実施形態の選果場運営システムによれば、以下のようにして、各選果場Ａ，Ｂ，Ｃから出荷先である青果市場へ青果物を運搬する運送会社に、出荷製品の集荷場所、出荷する青果物の品種、量、出荷時刻等に関する出荷指示情報を通知する。すなわち、翌日の出荷・配車計画を策定するために、まず本所コンピュータ１０から通信網を介して各生産者へ翌日の集荷予定（品種、数量、時刻等）を問合わせる。また、本所コンピュータ１０は、各生産者からの翌日集荷予定通知を受けて、集荷予定を集約し、出荷先である青果市場との契約や青果市場からの注文に応じて、各生産者へ集荷すべき選果場、品種、数量、集荷時刻等を指定した翌日集荷依頼を行う。ここで、記憶部１２に蓄積された過去の選果結果表に基づく生産者毎の出来高データベースによって、翌日の等階級別の青果物の出来高予測が支援されることになる。そして、選果場Ａ，Ｂ，Ｃにおける品種別の出来高予測データを基に、各青果市場への出荷契約や出荷要請に応じて、運搬会社に翌日の配車計画を通知する。ここで、配車計画には、出荷すべき青果市場名、集荷する選果場名（Ａ選果場からＢ選果場に向かう等の集荷順序等を含む）、集荷時刻等が含まれる。
【００２４】
また、本所コンピュータ１０は、出荷当日における集荷・配車の変更も行うことができる。すなわち、本所コンピュータ１０は当日の市場からの新たな注文の発生、生産者の出荷中止や変更、等階級別予想出来高との著しい乖離等の新たな情報を集約し、解析することよって、市場への出荷キャンセルや生産者への追加の出荷の要請等を行うと共に、運送会社に集荷・配車の変更を通知する。
【００２５】
さらに、本実施形態によれば、果実類を運搬した選果場において行われた選果結果が、等階級別の出荷粒数及び比率や、等階級（糖度、熟度、色等）のヒストグラム等を記載した選果結果として本所コンピュータ１０に送られ、記憶部１２に記憶されてデータベースとして蓄積されると共に、ネットサーバ１３を介して生産者に送られて、次回の集荷時の参考に供される。また各生産者はネットサーバ１３を介して記憶部１２にアクセスして、各種の選果情報を取り出すことにより、品種の改良や生産性の向上等に役立てることが可能になる。
【００２６】
そして、本実施形態の選果場運営システムによれば、各地区毎に設けられた選果場を、大規模な建屋を新たに建設することなく統合して、青果物の集出荷の集約化等を容易かつ効率良く図ることができる。
【００２７】
すなわち、本実施形態の選果場運営システムによれば、各地区Ａ，Ｂ，Ｃに設けられた選果場を残したまま通信ネットワーク上のバーチャル統合選果場を設けることによって青果物の集出荷の集約化等を図るので、新たな建屋の建設のための膨大な費用がかからず、また意見の集約も容易である。また、出荷のピーク時以外は、稼働する選果場を弾力的に選択して使用することができ（例えばピーク時以外はＡ地区選果場或いはＢ地区選果場のみを使用する等）、効率的な運用によって固定費の削減を図ることができる。
【００２８】
なお、本発明は、上記実施形態に限定されることなく種々の変更が可能である。例えば、バーチャル統合選果場として設置される本所コンピュータは、農業協同組合等の本社や支社等に設ける必要は必ずしもなく、地区別コンピュータのうちの一つが本所コンピュータを兼ねるようにすることもできる。
【００２９】
【発明の効果】
本発明の選果場運営システムによれば、各地区毎に設けられた選果場を、大規模な建屋を新たに建設することなく統合して、青果物の集出荷の集約化等を容易かつ効率良く図ることができる。
【図面の簡単な説明】
【図１】本発明の一実施形態に係る選果場運営システムを説明する概念図である。
【図２】本発明の一実施形態に係る選果場運営システムの説明図である。
【図３】本発明の一実施形態に係る選果場運営システムの説明図である。
【符号の説明】
１０：本所コンピュータ
１１Ａ，１１Ｂ，１１Ｃ：地区別コンピュータ
１２：記憶部
１３：ネットサーバ
１４：演算処理部
１５Ａ，１５Ｂ，１５Ｃ：ストレージヤード
【図１】
0004801275.tif 000002
【図２】
0004801275.tif 000003
【図３】
0004801275.tif 000004